(57)【要約】【課題】  第１のビット数より小さい第２のビット数で表される基準データに基づき、当該第１のビット数で表されるクロックランインを生成可能な映像信号処理装置、映像信号処理装置の映像信号処理方法を提供することを目的とする。【解決手段】  クローズドキャプション信号が重畳された映像信号を再生するための映像信号処理装置であって、クローズドキャプション信号の有無を示し映像信号処理に必要な第１のビット数で表されるクロックランインが第１のビット数より少ない第２のビット数で表される基準データに変換されて記憶された記憶部と所定水平走査期間にクローズドキャプション信号が重畳されたか否かを検出する検出部と検出部が検出したときの検出結果に基づいて基準データからクロックランインを生成する生成部と生成部にて生成されたクロックランインを映像信号に付加する制御部とを有することを特徴とする。【選択図】    図１
2006203370.tif 000002
【特許請求の範囲】
【請求項１】
クローズドキャプション信号が重畳された映像信号を再生するための映像信号処理装置であって、
前記クローズドキャプション信号の有無を示すとともに映像信号処理に必要な第１のビット数で表されるクロックランインが、当該第１のビット数より少ない第２のビット数で表される基準データに変換された状態で記憶された記憶部と、
所定の水平走査期間に前記クローズドキャプション信号が重畳されたか否かを検出する検出部と、
前記所定の水平走査期間に前記クローズドキャプション信号が重畳されたことを前記検出部が検出したときの検出結果に基づいて、前記基準データから前記クロックランインを生成する生成部と、
前記生成部にて生成された前記クロックランインを前記映像信号に付加する制御部と、
を有することを特徴とする映像信号処理装置。
【請求項２】
前記基準データは前記クロックランインを微分した微分データであって、
前記記憶部には前記微分データが記憶され、
前記生成部は、前記検出部の前記検出結果に基づいて、前記微分データを積分することによって前記クロックランインを生成する、
ことを特徴とする請求項１に記載の映像信号処理装置。
【請求項３】
前記微分データは、
前記生成部が前記クロックランインを生成可能となる最大微分回数だけ当該クロックランインを微分した結果得られたデータであり、
前記生成部は、
前記最大微分回数と同じ回数、前記微分データを積分することによって前記クロックランインを生成する、
ことを特徴とする請求項２に記載の映像信号処理装置。
【請求項４】
前記記憶部は、前記生成部の近傍に設けられる、
ことを特徴とする請求項１乃至請求項３の何れかに記載の映像信号処理装置。
【請求項５】
各フィールド又は各フレームにおける水平走査回数をカウントする水平走査回数カウンタと、
前記生成部における前記微分データを積分する期間が予め定められた期間に達したか否かを判別する判別部と、を有し、
前記生成部は、
前記水平走査回数カウンタのカウント値が前記所定の水平走査期間に対応する値に達したとき前記微分データの積分を開始し、前記判別部において前記予め定められた期間に達したと判別するまでの期間、前記微分データを積分することによって前記クロックランインを生成する、
ことを特徴とする請求項２乃至請求項４の何れかに記載の映像信号処理装置。
【請求項６】
前記判別部は、
所定周波数のクロックでカウントするクロックカウンタを有し、
前記クロックカウンタのカウント値が予め定められた値に達することによって、前記予め定められた期間に達したと判別する、
ことを特徴とする請求項５に記載の映像信号処理装置。
【請求項７】
前記判別部は、
時間を計時するタイマを有し、
前記タイマが予め定められた時間を計時することによって、前記予め定められた期間に達したと判別する、
ことを特徴とする請求項５に記載の映像信号処理装置。
【請求項８】
クローズドキャプション信号が重畳された映像信号を再生するための映像信号処理装置の映像信号処理方法であって、
前記クローズドキャプション信号の有無を示すとともに映像信号処理に必要な第１のビット数で表されるクロックランインが、当該第１のビット数より少ない第２のビット数で表される基準データに変換された状態で記憶し、
所定の水平走査期間に前記クローズドキャプション信号が重畳されたか否かを検出し、
前記所定の水平走査期間に前記クローズドキャプション信号が重畳された場合、前記基準データから前記クロックランインを生成し、
生成した前記クロックランインを前記映像信号に付加する、
ことを特徴とする映像信号処理装置の映像信号処理方法。
【発明の詳細な説明】
【技術分野】
【０００１】
本発明は、映像信号処理装置、映像信号処理装置の映像信号処理方法に関する。
【背景技術】
【０００２】
近年、映像情報や音声情報を表現するテレビジョン等の受像機においては、映像情報や音声情報とともに文字情報を表現可能な機能（以下、クローズドキャプション機能という）を有するものがある。この文字情報の例として米国においては、聾唖者のために音声情報の内容（例えば、ナレーションや会話など）を文字情報として表現し、聾唖者の補助的役割を果たすものがある。
【０００３】
ところで、この文字情報は、映像情報を示す映像信号に文字情報を示すクローズドキャプション信号が重畳された信号を受像機にて受信し、クローズドキャプション信号をデコード等することによって表現される。
【０００４】
以下、図２乃至図７、図１０を参照して、クローズドキャプション信号が重畳された映像信号が、クローズドキャプション機能を有する受像機に送信されるまでの過程について説明する。図２は、映像情報・音声情報・文字情報がそれぞれ映像データ・音声データ・クローズドキャプションデータとして記録された媒体（例えばＤＶＤ（Digital Versatile Disk）５０）に対し、ＤＶＤプレーヤー５１を用いて映像情報・音声情報・文字情報を受像機５２に送信する様子を示した図である。図３は、ＤＶＤプレーヤー５１を構成するバックエンド処理部５５の詳細図である。図４は、受像機５２の電子銃が走査する各水平走査線（以下、水平走査線をラインという）を示した図である。図５は、水平走査信号を示した図である。図６は、受像機５２の１フレームあたりの水平走査信号を示した図である。図７は、クロックランイン・クローズドキャプション信号を示した図である。図１０は、図７に示すクロックランインを拡大した図である。尚、本説明においては、ＮＴＳＣ（National Television System Committee）方式（１フレームあたりライン数５２５本・毎秒３０フレーム）が採用されているものとし、図４に示すラインは、インターレス方式における１フィールドのラインを示しているものとして説明する。また、通常、クローズドキャプション信号とはクロックランイン・スタートビット（３ビット）・クローズドキャプションデータ（１６ビット）から構成される信号のことを称するが、本説明においては、スタートビット・クローズドキャプションデータから構成される信号をクローズドキャプション信号と称することとする。
【０００５】
映像データ・音声データ・クローズドキャプションデータが記録されたＤＶＤ５０は、サーボ機構部５３のモータ（不図示）によって回転され、レーザーピックアップ（不図示）からのレーザー光が照射される。そして、ＤＶＤ５０にて反射されたレーザー光から、圧縮された映像データ・音声データ・クローズドキャプションデータが得られ、フロントエンド処理部５４は、映像データ・音声データ・クローズドキャプションデータに対し誤り訂正等を行いバックエンド処理部５５に送信する。
【０００６】
バックエンド処理部５５に送信された映像データ・音声データ・クローズドキャプションデータは、ＳＤＲＡＭ（Synchronous Dynamic Random Access Memory）アクセス制御部５６を介してＳＤＲＡＭ５７に記憶される。分離部５８は、ＳＤＲＡＭ５７に記憶された映像データ・音声データ・クローズドキャプションデータを、映像データ・クローズドキャプションデータと音声データとに分離する。映像データ復号部５９は、分離部５８からの圧縮された映像データ・クローズドキャプションデータに対し復号化を行い、ＳＤＲＡＭ５７の所定のアドレスにそれぞれ記憶させる。このとき、ＣＰＵ（Central Processing Unit）６１は、映像データ復号部５９にて復号化されたデータ中のクローズドキャプションデータの有無を検出する。そして、ＣＰＵ６１は、クローズドキャプションデータの有無を検出すると、ＳＤＲＡＭ５７の所定のアドレスに記憶されたクローズドキャプションデータを読出し、映像エンコーダ６２のレジスタ６３に保持させる。音声データ復号部６０は、分離部５８からの圧縮された音声データに対し復号化を行い、ＳＤＲＡＭ５７の所定のアドレスに記憶させる。
【０００７】
映像エンコーダ制御部６４は、１フィールドを構成する１本目のライン１Ｈに応じた映像データをＳＤＲＡＭ５７から読み出してバッファ６６に記憶させる。また、映像エンコーダ制御部６４は、所定のタイミングでバッファ６６に記憶されたライン１Ｈに対応した映像データを映像ＤＡＣ（Digital Analog Converter）６８に送信させる。そして、映像エンコーダ制御部６４は、前述した処理をライン１Ｈに応じた映像データからライン２０Ｈに応じた映像データまで繰り返し行う。また、ラインカウンタ６５は、各ラインに応じた映像データが映像ＤＡＣ６８に送信される都度、カウントする。尚、映像ＤＡＣ６８に送信された映像データは、映像ＤＡＣ６８によってアナログ化されることにより図５に示す水平走査信号となり受像機５２に送信される。水平走査信号は、映像データの情報が反映された信号となっており、水平同期信号・カラーバースト信号・色輝度信号とから構成される。そして、受像機５２は、各ラインに応じた水平走査信号に基づき電子銃（不図示）を走査させて、映像情報を表現させる。
【０００８】
そして、映像エンコーダ制御部６４は、ラインカウンタ６５が２０カウントし、ライン２１Ｈに応じた映像データがバッファ６６に記憶されると、クロックランイン生成部６７にクロックランインを生成させるべく指示信号を送信する。
【０００９】
クロックランイン生成部６７は、映像エンコーダ制御部６４からの指示信号を受信すると、ＲＯＭ（Read Only Memory）７０に記憶されている図１０に示すクロックランインを生成するためのデータ（以下、クロックランインデータという）を読み出す。このクロックランインは、クローズドキャプションデータが映像データに付加される際（通常、１フィールドのライン２１Ｈに付加される）、受像機５２にてクローズドキャプション信号がライン２１Ｈに応じた水平走査信号に付加されていることを認識させるために付加され、クローズドキャプション機能を実現するために所定の規格で定められている。そして、映像ＤＡＣ６８が例えば９ビット分解能である場合、クロックランインデータは、映像ＤＡＣ６８のビット分解能と同一のビット数で表される。何故ならば、クロックランインは、前述した所定の規格を遵守するために正確に生成されなければならず、そのため、より確実にクロックランインを生成するために、より大きいビット数（但し、ビット分解能以下のビット数）で表されることとなる。もし、小さいビット数でクロックランインデータが表され、当該クロックランインデータから生成されるクロックランインが所定の規格を満たすものでない場合、受像機５２はクローズドキャプション信号を認識できず、文字情報が表現されない可能性がある。そのため、ＲＯＭ７０には、例えば９ビットで表されるクロックランインを生成するためのデータがクロックランインデータとして記憶されている。そして、クロックランイン生成部６７は、ＲＯＭ７０からのクロックランインデータに基づいて、クロックランインを生成する。
【００１０】
映像エンコーダ制御部６４は、バッファ６６からライン２１Ｈに応じた映像データのうち、水平同期信号・カラーバースト信号を映像ＤＡＣ６８に送信させ、次にクロックランイン生成部６７にて生成されたクロックランインを映像ＤＡＣ６８に送信させ、次にレジスタ６３に保持されているクローズドキャプションデータを送信させ、最後にバッファ６６から色輝度信号を送信させる。よって、映像ＤＡＣ６８にてアナログ化された水平走査信号は、図５に示すＡ期間に、図７に示すクロックランインとクローズドキャプション信号が重畳された信号となる。そして、受像機５２は、水平走査信号からクロックランイン・クローズドキャプション信号を抽出し、クローズドキャプション信号に基づく文字情報を表現することとなる。
【特許文献１】特開２００３−１６３８９６号公報
【発明の開示】
【発明が解決しようとする課題】
【００１１】
しかしながら、クロックランインを生成するためのクロックランインデータは、ライン２１Ｈに応じた水平走査信号にクローズドキャプション信号が付加されていることを受像機５２にて正確に認識させるべく、映像ＤＡＣ６８のビット分解能と同一のビット数で表されているため、データ量としては大きなデータ量となってしまうという問題があった。そのため、ＲＯＭ７０などの大容量のデータが記憶可能な記憶装置に記憶させる必要があった。そして、クロックランインデータが、ＲＯＭ７０の容量を大きく占有してしまうという問題があった。また、ＲＯＭ７０に記憶されているデータ（例えば、ＤＶＤへの書き込みを可能とするＤＶＤプレーヤーのプログラムデータ等）を、回路基板上の他の回路が用いる場合、当該他の回路と映像エンコーダ６２とＲＯＭ７０の配置によっては、ＲＯＭ７０まで配線が煩雑になる可能性があった。また、映像エンコーダ６２やＲＯＭ７０等を含む装置を集積化する場合にも同様な問題が生じる可能性があった。その場合、クロックランインデータが遅延する可能性や、電気的ノイズの影響を受けるという可能性があった。
【００１２】
そこで、本発明は、第１のビット数（例えば９ビット）より小さい第２のビット数（例えば３ビット）で表される基準データに基づき、当該第１のビット数で表されるクロックランインを生成可能な映像信号処理装置、映像信号処理装置の映像信号処理方法を提供することを目的とする。
【課題を解決するための手段】
【００１３】
前記課題を解決するための発明は、クローズドキャプション信号が重畳された映像信号を再生するための映像信号処理装置であって、前記クローズドキャプション信号の有無を示すとともに映像信号処理に必要な第１のビット数で表されるクロックランインが、当該第１のビット数より少ない第２のビット数で表される基準データに変換された状態で記憶された記憶部と、所定の水平走査期間に前記クローズドキャプション信号が重畳されたか否かを検出する検出部と、前記所定の水平走査期間に前記クローズドキャプション信号が重畳されたことを前記検出部が検出したときの検出結果に基づいて、前記基準データから前記クロックランインを生成する生成部と、前記生成部にて生成された前記クロックランインを前記映像信号に付加する制御部と、を有する、ことを特徴とする。
【００１４】
また、クローズドキャプション信号が重畳された映像信号を再生するための映像信号処理装置の映像信号処理方法であって、前記クローズドキャプション信号の有無を示すとともに映像信号処理に必要な第１のビット数で表されるクロックランインが、当該第１のビット数より少ない第２のビット数で表される基準データに変換された状態で記憶し、所定の水平走査期間に前記クローズドキャプション信号が重畳されたか否かを検出し、前記所定の水平走査期間に前記クローズドキャプション信号が重畳された場合、前記基準データから前記クロックランインを生成し、生成した前記クロックランインを前記映像信号に付加する、ことを特徴とする。
【発明の効果】
【００１５】
本発明によれば、第１のビット数より小さい第２のビット数で表される基準データに基づき、当該第１のビット数で表されるクロックランインを生成可能な映像信号処理装置、映像信号処理装置の映像信号処理方法を提供することが可能となる。
【発明を実施するための最良の形態】
【００１６】
本明細書および添付図面の記載により、少なくとも以下の事項が明らかとなる。
【００１７】
＝＝＝映像信号処理装置の全体構成例＝＝＝
図１、図２、図５、図７乃至図９を参照しつつ、本発明に係る映像信号処理装置の全体構成について説明する。尚、本発明に係る映像信号処理装置は、例えば図２に示すＤＶＤプレーヤー５１のバックエンド処理部５５に適用するものとして以下説明する。図１は、本発明に係る映像信号処理装置を適用するバックエンド処理部５５の全体構成の一例を示す図である。図８は、クロックランインの波形図と当該クロックランインを微分した結果得られた波形図である。図９は、図１に示す積分器１４の詳細図である。
【００１８】
ＤＶＤプレーヤー５１は、サーボ機構部５３、フロントエンド処理部５４、バックエンド処理部５５、ＳＤＲＡＭ１７、映像ＤＡＣ１５、音声ＤＡＣ１６を有する。  
サーボ機構部５３は、ＤＶＤ５０に記憶された、圧縮された映像データ・音声データ・クローズドキャプションデータをＤＶＤ５０から読み出すべく、モータ（不図示）、レーザーピックアップ（不図示）を駆動させる。  
フロントエンド処理部５４は、ＤＶＤ５０の回転を制御するためのモータ制御、ＤＶＤ５０からの映像データ・音声データ・クローズドキャプションデータの誤り訂正を行う。
【００１９】
ＳＤＲＡＭ１７には、ＳＤＲＡＭアクセス制御部２を介して送信される映像データ・音声データ・クローズドキャプションデータが所定のアドレスに記憶される。尚、本実施形態においては、ＳＤＲＡＭ１７を用いているがこれに限るものではない。例えば、より高速なデータ転送機能を有するＤＤＲ−ＳＤＲＡＭ（Double Data Rate SDRAM）を用いても良い。
【００２０】
映像ＤＡＣ１５は、受信した映像データ・クロックランイン・クローズドキャプションデータをアナログ化することによって得られた水平走査信号（図５）を受像機５２に送信する。尚、本実施形態において映像ＤＡＣ１５は、例えば９ビット分解能であるものとする。  
音声ＤＡＣ１６は、受信した音声データをアナログ化して受像機５２に送信する。
【００２１】
バックエンド処理部５５は、ＣＰＵ１（検出部）、ＳＤＲＡＭアクセス制御部２、分離部３、映像データ復号部４、音声データ復号部５、映像エンコーダ６を有する。  
ＳＤＲＡＭアクセス制御部２は、ＳＤＲＡＭ１７へのデータのアクセス制御を行う。  
分離部３は、ＳＤＲＡＭ１７に記憶された映像データ・音声データ・クローズドキャプションデータを、映像データ・クローズドキャプションデータと音声データとに分離する。
【００２２】
映像データ復号部４は、分離部３からの圧縮された映像データ・クローズドキャプションデータの復号化を行い、ＳＤＲＡＭ１７の所定のアドレスに記憶させる。尚、本実施形態においては、映像データ復号部４にて復号化された映像データのデータ量は、例えば１５フレーム分のデータ量に相当するものであるものとする。そして、映像データ復号部４は、各フレームを構成する各ラインに応じた各映像データを、ＳＤＲＡＭ１７の各所定のアドレスに記憶させるものとする。つまり、ＮＴＳＣ方式においては、７８７５ライン（＝１５フレーム×５２５ライン）分の各映像データが、夫々各所定のアドレスに記憶されることとなる。
【００２３】
音声データ復号部５は、分離部３からの圧縮された音声データの復号化を行い、ＳＤＲＡＭ１７の所定のアドレスに記憶させる。
【００２４】
ＣＰＵ１は、バックエンド処理部５５を統括制御する。ＣＰＵ１は、映像データ復号部４にて復号されたデータ中のクローズドキャプションデータの有無を検出する。そして、ＣＰＵ１は、クローズドキャプションデータの有無を検出すると、ＳＤＲＡＭ１７の所定のアドレスに記憶されたクローズドキャプションデータを読み出し、映像エンコーダ６のレジスタ１０に保持させる。尚、１フレームにおけるクローズドキャプションデータのデータ量は、３ビットのスタートビットと８ビット（１ビットのパリティビットを含む）のデータ×２から構成されているため（図７参照）、ＣＰＵ１は、１９ビットのクローズドキャプションデータを順次読み出すこととなる。
【００２５】
映像エンコーダ６は、映像エンコーダ制御部７、バッファ８、ラインカウンタ（水平走査回数カウンタ）９、レジスタ１０、ジェネレータ（制御部・判別部）１１、クロックカウンタ１２、クロックランイン生成回路（生成部）１８を有する。  
バッファ８には、ＳＤＲＡＭ１７からの映像データが記憶される。  
ラインカウンタ９は、映像エンコーダ制御部７がバッファ８に記憶された映像データを映像ＤＡＣ１５に送信させるたびにカウントする。
【００２６】
映像エンコーダ制御部７は、ＳＤＲＡＭ１７に記憶された各映像データから、第１フィールドのライン１Ｈに応じた映像データから順に読み出して、バッファ８に記憶させる。そして、映像エンコーダ制御部７は、所定のタイミングでバッファ８に記憶された映像データを映像ＤＡＣ１５に送信させる。また、映像エンコーダ制御部７は、ラインカウンタ９のカウント値が２０に達しているとき、バッファ８に記憶されている映像データのうち水平同期信号とカラーバースト信号を映像ＤＡＣ１５に送信させた後、ジェネレータ１１にクロックランインを生成するための指示信号（以下、生成指示信号という）を送信するとともに、クロックカウンタ１２のカウントを開始させる。また、映像エンコーダ制御部７は、ジェネレータ１１からのクロックランインの生成が終了したことを示す信号（以下、終了信号という）を受信すると、バッファ８に記憶されている色輝度信号を映像ＤＡＣ１５に送信させる。さらに、映像エンコーダ制御部７は、ラインカウンタ９のカウント値が５２５に達すると、次のフレームの映像データをＳＤＲＡＭ１７から読み出すとともに、ラインカウンタ９のカウント値をリセットさせる。  
クロックカウンタ１２は、映像エンコーダ制御部７からの指示信号に基づいて、例えば２７ＭＨｚのクロックの立ち上がりをカウントする。
【００２７】
ジェネレータ１１は、図１の一点鎖線内に示す映像信号処理装置を統括制御する。ジェネレータ１１は、映像エンコーダ制御部７からの生成指示信号に基づいて、後述するクロックランイン生成回路１８にてクロックランインを生成させるべく指示信号をクロックランイン生成回路１８に送信する。また、ジェネレータ１１は、クロックカウンタ１２のカウント値が予め定められた値に達したと判別すると、クロックランイン生成回路１８にて生成されたクロックランインを、映像ＤＡＣ１５に送信させるべく指示信号をクロックランイン生成回路１８に送信する。この予め定められたカウント値とは、クロックランイン生成回路１８にて生成されるクロックランインが、前述した所定の規格にて定められたクロックランインとなるためのクロックランイン生成回路１８の生成処理期間を、例えば実験などによって予め得ることによって定められるものである。次に、ジェネレータ１１は、レジスタ１０にて保持されているクローズドキャプションデータを、映像ＤＡＣ１５に送信させるべく指示信号をレジスタ１０に送信する。そして、ジェネレータ１１は、終了信号を映像エンコーダ制御部７に送信する。
【００２８】
クロックランイン生成回路１８のロジックテーブル（記憶部）１３には、図８に示す９ビットで表されるクロックランインＡが２回微分されることよって得られた、３ビットで表されるクロックランインＣを示すデータ（微分データ。以下、基準データという）が記憶されている。以下、クロックランインの微分について詳述する。クロックランインは、前述したようにクローズドキャプション機能を受像機５２にて実現させるために所定の規格にて定められている。そして、図８に示すクロックランインＡは、この所定の規格を満たすものとなっている。今、このクロックランインＡを微分すると、クロックランインＢ（６ビット）となり、さらに、クロックランインＢを微分すると、クロックランインＣ（３ビット）となる。数式で表すとすれば、クロックランインＡをＳ(ｔ)とし、クロックランインＣをｓ(ｔ)とすると、ｓ(ｔ)＝Ｓ”(ｔ)＝ｄ２Ｓ(ｔ)／ｄｔ２となる。この結果、９ビットで表されたクロックランインＡが２回微分されることにより、３ビットで表されたクロックランインＣとなることが分かる。そして、３ビットで表されたクロックランインＣのデータ量は、９ビットで表されたクロックランインＡのデータ量よりも小さいデータ量となる。尚、本実施形態においては、３ビットで表されるクロックランインＣの基準データがロジックテーブル１３に記憶されているがこれに限るものではない。後述する積分器１４によって、９ビットのクロックランインＡが再現可能なビット数で表されるクロックランインであれば、クロックランインＣをさらに微分して基準データを求めても良い。
【００２９】
クロックランイン生成回路１８の積分器１４は、図９に示す積分回路Ａ、積分回路Ｂ、加算回路１８(a)、１８(b)から構成されている。積分回路Ａは、ロジックテーブル１３からの基準データが順次送信され、当該基準データを積分する（以下、積分結果を第１積分データという）。加算回路１８(a)は、積分回路Ａからの第１積分データとロジックテーブル１３から次の基準データとを加算する（以下、加算結果を第１加算データという）。積分回路Ｂは、加算回路１８(a)からの第１加算データを積分する（以下、積分結果を第２積分データという）。加算回路１８(b)は、積分回路Ｂからの第２積分データと次の加算回路１８(a)からの第１加算データを加算する（以下、加算結果を第２加算データという）。この加算回路１８(b)からの第２加算データは、９ビットで表されたクロックランインを示すデータとなっている。図８を用いて詳述すれば、積分回路Ａにて積分される前の基準データが示すクロックランインＣは、積分回路Ａにて積分されて加算回路１８(a)にて加算されることにより第１加算データが示すクロックランインＢとなり、さらに、積分回路Ｂにて積分されて加算回路１８(b)にて加算されることにより第２加算データが示すクロックランインＡが生成されることとなる。数式で表すとすれば、クロックランインＢをＳ’(ｔ)とすると、Ｓ’(ｔ)＝（ｓ(ｔ−１)＋ｓ(ｔ−２)＋・・・＋ｓ(０)）＋ｓ(ｔ)となり、Ｓ(ｔ)＝（Ｓ’(ｔ−１)＋Ｓ’(ｔ−２)＋・・・＋Ｓ’(０)）＋Ｓ’(ｔ)となる。尚、積分回路・加算回路の数は、クロックランインを微分した回数と同一の数で設けられる。
【００３０】
＝＝＝  映像信号処理装置の動作  ＝＝＝
図１、図２、図５、図７を参照しつつ、本発明に係る映像信号処理装置の動作について説明する。
【００３１】
先ず、映像データ・音声データ・クローズドキャプションデータが記憶されたＤＶＤ５０が所定の位置に設置されると、サーボ機構部５３はモータ（不図示）を駆動させてＤＶＤ５０を回転させる。そして、サーボ機構部５３は、レーザーピックアップ（不図示）からレーザー光をＤＶＤ５０に照射させ、ＤＶＤ５０にて反射されたレーザー光から圧縮された映像データ・音声データ・クローズドキャプションデータを読み出す。
【００３２】
サーボ機構部５３からの映像データ・音声データ・クローズドキャプションデータは、フロントエンド処理部５４にて誤り訂正が行われてバックエンド処理部５５に送信される。フロントエンド処理部５４からの映像データ・音声データ・クローズドキャプションデータは、ＳＤＲＡＭアクセス制御部２を介してＳＤＲＡＭ１７に記憶される。  
映像データ・音声データ・クローズドキャプションデータは、分離部３にて映像データ・クローズドキャプションデータと音声データとに分離される。
【００３３】
分離部３からの圧縮された映像データ・クローズドキャプションデータは、映像データ復号部４にて復号化される。このとき、映像データ復号部４にて復号化されるクローズドキャプションデータは、ＣＰＵ１に検出される。そして、映像データ復号部４にて復号化された映像データ・クローズドキャプションデータは、ＳＤＲＡＭアクセス制御部２を介して、ＳＤＲＡＭ１７の所定のアドレスに記憶される。また、分離部３からの圧縮された音声データは、音声データ復号部５にて復号化され、ＳＤＲＡＭアクセス制御部２を介して、ＳＤＲＡＭ１７の所定のアドレスに記憶される。
【００３４】
ＣＰＵ１にて検出されたクローズドキャプションデータのうち、１９ビットに相当するクローズドキャプションデータは、ＣＰＵ１によって順次読み出され、レジスタ１０に保持される。  
ＳＤＲＡＭ１７に記憶された映像データのうち、第１フィールドのライン１Ｈに応じた映像データは、映像エンコーダ制御部７によって読み出され、バッファ８に記憶される。そして、バッファ８に記憶された映像データは、映像エンコーダ制御部７から所定のタイミングで読み出され、映像ＤＡＣ１５に送信される。映像データがバッファ８から映像ＤＡＣ１５に送信されると、ラインカウンタ９はカウントする。
【００３５】
バッファ８から読み出された映像データは、映像ＤＡＣ１５にてアナログ化され水平走査信号（図５）として受像機５２に送信される。尚、受像機５２は、映像ＤＡＣ１５からの水平走査信号に基づいて、第１フィールドのライン１Ｈに電子銃を走査させる。  
そして、上述と同様の動作が、第１フィールドのライン２０Ｈに応じた映像データが映像ＤＡＣ１５から水平走査信号として受像機５２に送信されるまで、順次繰り返されることとなる。
【００３６】
次に、ＳＤＲＡＭ１７に記憶された映像データのうちの第１フィールドのライン２１Ｈに応じた映像データが、映像エンコーダ制御部７によって読み出され、バッファ８に記憶される。そして、バッファ８に記憶された映像データの水平同期信号とカラーバースト信号は、映像エンコーダ制御部７から所定のタイミングで読み出され、映像ＤＡＣ１５に送信される。そして、映像エンコーダ制御部７からの生成指示信号がジェネレータ１１に送信される。また、クロックカウンタ１２は、映像エンコーダ制御部７からの指示に基づいて、２７ＭＨｚのクロックの立ち上がりをカウントする。
【００３７】
ジェネレータ１１は、映像エンコーダ制御部７からの生成指示信号に基づいて、クロックランイン生成回路１８にてクロックランインを生成させるべく、クロックランイン生成回路１８に指示信号を送信する。そして、ジェネレータ１１は、クロックカウンタ１２のカウント値が、予め定められた値に達したか否かを判別する。
【００３８】
クロックランイン生成回路１８のロジックテーブル１３に記憶された基準データは、ジェネレータ１１からの指示信号に基づいて積分器１４に順次送信される。  
ロジックテーブル１３からの基準データは、積分器１４の積分回路Ａによって積分され、積分結果を示す第１積分データは、加算回路１８(a)に送信される。
【００３９】
積分回路Ａからの第１積分データとロジックテーブル１３からの次の基準データは、加算回路１８(a)にて加算され、加算結果を示す第１加算データは、積分回路Ｂに送信される。  
加算回路１８(a)からの第１加算データは、積分回路Ｂによって積分され、積分結果を示す第２積分データは、加算回路１８(b)に送信される。  
積分回路Ｂからの第２積分データと加算回路１８(a)からの次の第１加算データは、加算回路１８(b)にて加算される。この加算回路１８(b)の加算結果を示す第２加算データは、９ビットで表されるクロックランインを示すデータとなっている。
【００４０】
ジェネレータ１１は、クロックカウンタ１２のカウント値が予め定められた値に達したと判別すると、クロックランイン生成回路１８にて生成されたクロックランインを映像ＤＡＣ１５に送信させるべく、クロックランイン生成回路１８に指示信号を送信する。  
加算回路１８(ｂ)の加算結果を示す第２加算データ（つまり、９ビットで表されるクロックランインを示すデータ）は、ジェネレータ１１からの指示信号に基づいて、映像ＤＡＣ１５に送信される。
【００４１】
次に、ジェネレータ１１は、レジスタ１０に記憶されているクローズドキャプションデータを映像ＤＡＣ１５に送信させるべく、レジスタ１０に指示信号を送信する。  
レジスタ１０に保持されているクローズドキャプションデータは、ジェネレータ１１からの指示信号に基づいて、映像ＤＡＣ１５に送信される。
【００４２】
次に、ジェネレータ１１は、終了信号を映像エンコーダ制御部７に送信する。  
映像エンコーダ制御部７は、ジェネレータ１１からの終了信号に基づいて、バッファ８に記憶されている色輝度信号を読み出す。  
バッファ８に記憶された映像データの色輝度信号は、映像エンコーダ制御部７によって読み出され、映像ＤＡＣ１５に送信される。
【００４３】
この結果、映像ＤＡＣ１５には、水平同期信号・カラーバースト信号・クロックランイン・クローズドキャプションデータ・色輝度信号の順に送信されることとなる。そして、映像ＤＡＣ１５からアナログ化されて送信される水平走査信号は、図５に示す水平走査信号のＡ期間に、図７に示すクロックランイン・クローズドキャプション信号が重畳された水平走査信号となり、受像機５２に送信されることとなる。
【００４４】
尚、受像機５２は、映像ＤＡＣ１５からの水平走査信号に重畳されたクロックランインから、クローズドキャプション信号が付加されていることを認識し、クロックランインイン・クローズドキャプション信号に対して所定の処理を行い、クローズドキャプション信号に応じた文字情報を表現する。
【００４５】
その後、第１フィールドのライン２２Ｈからライン２６２Ｈに応じた映像データに対する処理が、前述した第１フィールドのライン１Ｈからライン２０Ｈに応じた映像データに対する処理と同様に行われる。次に第２フィールドのライン２６３Ｈからライン５２５Ｈに応じた映像データに対する処理も同様に行われ１フレームの映像情報及び文字情報が受像機５２にて表現されることとなる。
【００４６】
このように、所定の規格を満たすクロックランインを微分することによって、クロックランインを生成するための基準データを求めることが可能となる。この結果、基準データのデータ量が記憶可能なロジックテーブル１３と積分器１４を設けることによって、クロックランインを生成することが可能となる。また、クロックランインを生成するためのロジックテーブル１３を映像エンコーダ６に直接設けることから、他の回路で利用されるデータが記憶されたＲＯＭ等の記憶装置に、基準データを記憶させる必要がなくなり、ＲＯＭ等までの配線をした際の基準データの遅延や、電気的ノイズによる影響を少なくすることが可能となる。
【００４７】
上記実施形態によれば、クローズドキャプション信号が映像信号に重畳されていることを示すクロックランインを、当該クロックランインを表すビット数（９ビット）より少ないビット数（３ビット）で表される基準データに基づいて生成することが可能となる。この結果、従来技術におけるＲＯＭ等の大容量のデータ量が記憶可能な記憶装置よりも小さい記憶容量のロジックテーブル１３に記憶された基準データに基づいてクロックランインを生成することが可能となる。
【００４８】
また、クロックランインを微分した結果得られた基準データに基づいてクロックランインを生成することが可能となり、当該基準データが記憶されたロジックテーブル１３を用いることで、クロックランインの生成を確実なものとすることができる。
【００４９】
また、最大微分回数だけクロックランインを微分することによって得られた基準データがロジックテーブル１３に記憶されることから、記憶容量が小容量のロジックテーブル１３を用いることが可能となる。
【００５０】
また、ロジックテーブル１３を映像エンコーダ６に設けることから、クロックランインを生成するにあたって、電気的ノイズ等の影響を受けにくくなり、また、配線が煩雑になることを防止することが可能となる。
【００５１】
また、ラインカウンタ９のカウント値が２１カウントしたとき、クロックランイン生成回路１８が基準データに基づいてクロックランインの生成を開始し、ジェネレータ１１において予め定められた期間に達したと判別するまでの期間、基準データを積分・加算することによってクロックランインを確実に生成することが可能となる。
【００５２】
また、クロックカウンタ１２のカウント値が予め定められた値に達するまでの期間、積分器１４が基準データを積分・加算することによって、クロックランインを確実に生成することが可能となる。
【００５３】
＝＝＝その他の実施の形態＝＝＝
以上、本発明に係る映像信号処理装置について説明したが、上記の説明は、本発明の理解を容易とするためのものであり、本発明を限定するものではない。本発明は、その趣旨を逸脱することなく、変更、改良され得る。
【００５４】
＜＜ロジックテーブルに記憶されるデータ＞＞
本実施形態においては、図８に示す９ビットで表されるクロックランインＡを２回微分した得られる３ビットで表されるクロックランインＣのデータである基準データが、ロジックテーブル１３に記憶されているがこれに限るものではない。
【００５５】
例えば、９ビットで表されるクロックランインＡを、微分せずに３ビットで表したクロックランインのデータをロジックテーブル１３に記憶させることも可能である。この場合、積分器１４に換えて３ビットのデータを９ビットのデータに変換する変換部を設け、変換部の変換結果得られたクロックランインＡが映像ＤＡＣ１５に送信されることとなる。
【００５６】
＜＜クロックランイン生成回路におけるクロックランインの生成処理期間＞＞
本実施形態においては、クロックカウンタ１２のカウント値が予め定められた値に達したとジェネレータ１１が判別することによって、所定の規格のクロックランインがクロックランイン生成回路１８にて生成されたものとして、クロックカウンタ１２を設けているがこれに限るものではない。
【００５７】
例えば、クロックカウンタ１２に換えてタイマを設け、前述したクロックランインの生成処理期間を時間としてジェネレータ１１に記憶させておき、タイマが当該時間を計時したとき所定の規格のクロックランインがクロックランイン生成回路１８にて生成されたものとして、ジェネレータ１１が判別するよう設けてもよい。
【００５８】
＜＜ＰＡＬ（Phase Alternation by Line）方式とＮＴＳＣ方式との兼用＞＞
本実施形態においては、日本・北米・中南米における放送規格であるＮＴＳＣ方式の場合について説明したが、欧州・中国において用いられている放送規格であるＰＡＬ方式（１フレームあたりライン数６２５本・毎秒２５フレーム）においても適用可能である。
【００５９】
このＰＡＬ方式においては、クローズドキャプション信号と同様な文字情報（例えば、各種警告や天気予報情報）を示す信号としてＷＳＳ（Wide Screen Signal）信号がある。このＷＳＳ信号はライン２３Ｈの映像信号に重畳されることとなる。図１１は、ＮＴＳＣ方式・ＰＡＬ方式が兼用されるＤＶＤプレーヤーのバックエンド処理部の全体構成の一例を示す図である。図１１においては、図１における映像エンコーダ６にセレクタ１９を設ける。そして、セレクタ１９は、レジスタ１０に記憶されたデータが、クローズドキャプションデータとＷＳＳデータの何れかであるかを判別する。そして、セレクタ１９は、レジスタ１０に記憶されたデータがクローズドキャプションデータであると判別した場合、クローズドキャプションデータである旨を示す信号を映像エンコーダ制御部７に送信する。また、セレクタ１９は、レジスタ１０に記憶されたデータがＷＳＳデータであると判別した場合、ＷＳＳデータである旨を示す信号を映像エンコーダ制御部７に送信する。
【００６０】
映像エンコーダ制御部７は、セレクタ１９からのクローズドキャプションデータである旨を示す信号を受信すると、ラインカウンタ９のカウント値が２１に達したとき上述した処理を行う。または、映像エンコーダ制御部７は、セレクタ１９からのＷＳＳデータを示す信号を受信すると、ラインカウンタ９のカウント値が２３に達したとき上述する処理を行う。
【００６１】
よって、ＮＴＳＣ方式におけるクローズドキャプション信号のみならず、ＰＡＬ方式におけるＷＳＳ信号に対しても本発明に係る映像信号処理装置を用いることが可能となる。
【図面の簡単な説明】
【００６２】
【図１】本発明を適用するＤＶＤプレーヤーのバックエンド処理部の全体構成の一例を示す図である。
【図２】映像情報・音声情報・文字情報を受像機に送信する様子を示した図である。
【図３】ＤＶＤプレーヤーのバックエンド処理部の詳細図である。
【図４】受像機の電子銃が走査する各水平走査線を示した図である。
【図５】水平走査信号を示した図である。
【図６】１フレームあたりの水平走査信号を示した図である。
【図７】クロックランイン・クローズドキャプション信号を示した図である。
【図８】クロックランインとクロックランインを微分した結果得られる波形図である。
【図９】積分器の詳細図である
【図１０】クロックランインを拡大した図である。
【図１１】ＮＴＳＣ方式とＰＡＬ方式を兼用したバックエンド処理部の全体構成の一例を示す図である。
【符号の説明】
【００６３】
１、６１    ＣＰＵ
２、５６    ＳＤＲＡＭアクセス制御部
３、５８    分離部
４、５９    映像データ復号部
５、６０    音声データ復号部
６、６２    映像エンコーダ
７、６４    映像エンコーダ制御部
８、６６    バッファ
９、６５    ラインカウンタ
１０、６３  レジスタ
１１    ジェネレータ
１２    クロックカウンタ
１３    ロジックテーブル
１４    積分器
１５、６８  映像ＤＡＣ
１６、６９  音声ＤＡＣ
１７、５７  ＳＤＲＡＭ
１８    加算回路
５０    ＤＶＤ
５１    ＤＶＤプレーヤー
５２    受像機ジョン
５３    サーボ機構部
５４    フロントエンド処理部
５５    バックエンド処理部
６７    クロックランイン生成部
７０    ＲＯＭ
【図１】
2006203370.tif 000003
【図２】
2006203370.tif 000004
【図３】
2006203370.tif 000005
【図４】
2006203370.tif 000006
【図５】
2006203370.tif 000007
【図６】
2006203370.tif 000008
【図７】
2006203370.tif 000009
【図８】
2006203370.tif 000010
【図９】
2006203370.tif 000011
【図１０】
2006203370.tif 000012
【図１１】
2006203370.tif 000013